(57)【要約】      （修正有）【課題】職場や学校などの机の上で睡眠を取る時に、手枕で顔面と手や腕が直接接触して頭部の重さを受けることなく、また顎や頬や額等と枕との接触状態を調節して、快適な睡眠が得られる携帯用の小型枕を提供する。【解決手段】変形自在の柔らかく薄いクッション素材で断面をほぼ楕円の円筒状に形成し、その孔に手や腕などを挿入して枕の厚みと硬さを適度に増加し、小型枕から通常サイズの枕の厚みと硬さに変化するだけでなく、手や腕の部位による形状や肘などの屈曲角度を利用して、枕と顔面との接触状態を自在に調節できるものである。【選択図】図２
2007037960.tif 000002
【特許請求の範囲】
【請求項１】
変形自在の柔らかく薄い素材で形成され、断面がほぼ楕円の円筒形状とした枕体と、該枕体の表面を包囲する枕カバーとで構成され、前記枕体の円筒部を手や腕が挿通できる程度の大きさとしたことを特徴とする小型枕。
【請求項２】
厚みが均一な薄い板状クッション体と、該板状クッション体を包む板状クッションカバーで構成した薄い板状枕体で形成し、該板状枕体を丸めて筒状に維持するよう筒状の枕カバーを取り付けたことを特徴とする小型枕。
【発明の詳細な説明】
【技術分野】
【発明の詳細な説明】
【技術分野】
【０００１】  本発明は、携帯用の小型枕に関し、特に机の上に頭部をのせて快適な睡眠を得られる枕に関する。
【背景技術】
【０００２】  職場や学校や旅行時に睡魔に襲われた場合、机の上等でうつ伏せ状態にして睡眠を取ることが多いが、硬くて平らな机の上に顔面を乗せた状態で睡眠をとると、頭部の重さをその接触面で直接受けることになり苦痛を生じるため、手枕や卓上用の枕等を机に敷いて対策を施している。【０００３】  このうち、卓上用の枕としては、登録実用新案第３０７４６８５号公報に開示されたものが知られている。この枕は、机の上に枕を敷いてから手枕をして頭部をのせたり、枕の上に直接顔面を接して頭部をのせて使用し、さらに枕の厚み調節は枕を折り畳んで行なうようにしている。【０００４】  しかしながら、枕の上に手枕をして頭部をのせた場合は、頭部の重さを手や腕と顎や頬や額等との間で支えることになり、その接触面に圧迫痕を生じたり痺れたり汗をかいたりする等の問題点があった。また机の上に直接顔面を接して頭部をのせる場合は枕の表面の形状は固定され、手枕のよう自在に形状を変化させて顎や頬や額等との接触面を思い通りにすることはできなかった。またこの様な従来の枕では機能を果たすためにある程度の大きさが必要で外出時の持運びに不便であった。【０００５】  またこの様な立体的で曲線的な枕の形状は、製作時に専用の金型や特別の製作工具を必要とし、長期の設計開発期間が必要であり、また設計開発費用や加工費を大幅に増加させることになった。
【特許文献１】  登録実用新案第３０７４６８５号公報
【発明が解決しようとする課題】
【０００６】  そこで本発明の第１の課題は、顔面と手や腕が直接接触して頭部の重さを受けることなく、枕の形状を手枕のよう自在に変化させて、顎や頬や額等と枕との接触面を自分の思い通りに調節し、快適な睡眠が得られる携帯用の小型枕を提供することにある。
【０００７】  また、本発明の第２の課題は、立体的で曲線的な枕形状であっても製作時に専用の金型や特別の製作工具を必要とせず、設計開発期間の短縮と設計開発費用や加工費の大幅な削減で、より早く消費者に安価な枕を提供することにある。
【課題を解決するための手段】
【０００８】このような第１の課題を解決するため本発明は、変形自在の柔らかく薄い素材で形成され、断面がほぼ楕円の円筒形状とした枕体と、該枕体の表面を包囲する枕カバーとで構成され、前記枕体の円筒部を手や腕が挿通できる程度の大きさとしたものである。
【０００９】また、第２の課題を解決するため本発明は、厚みが均一な薄い板状クッション体と、該板状クッション体を包む板状クッションカバーで構成した薄い板状枕体で形成し、該板状枕体を丸めて筒状に維持するよう筒状の枕カバーを取り付けたものである。
【発明の効果】
【００１０】  請求項１に記載の小型枕によれば、変形自在の柔らかく薄い素材で形成され、断面がほぼ楕円の円筒形状とした枕体と、該枕体の表面を包囲する枕カバーとで構成され、前記枕体の円筒部に手や腕を挿通して枕の一部を形成するために、小型枕ながら通常の枕と遜色の無い適度な厚みや硬さが得られ、さらに自身の手と腕の挿入位置の工夫で様々な枕の形状を得ることができる。
【００１１】  これにより、顔面を手や腕の上に直接乗せることなく顔面と枕との接触面の安定形状が得られ、頭部の安定した状態を保って快適な睡眠が得られる。
また、枕の小型化が実現して職場や学校や旅行などへの持ち運びを容易に行なうことができる。
【００１２】  請求項２に記載の小型枕によれば、厚みが均一な薄い板状クッション体と、該板状クッション体を包む板状クッションカバーで構成した薄い板状枕体で形成し、該板状枕体を丸めて筒状に維持するよう筒状の枕カバーを取り付けることで、厚みが均一な薄い板状クッション体は規格品の板状のクッションを規定の寸法に裁断すればよく、他の２種類のカバーは布製品のためにこれもまた規定の寸法に裁断し縫製すればよく、結果として様々な寸法の枕を簡単に製作することができる。
【００１３】  これにより、専用の金型や特別な製作工具を必要とせずに枕を簡単に生産できるため、設計開発費用の削減と設計開発期間の短縮が可能となり、市場により早く安価な枕を提供することができる。
【発明を実施するための最良の形態】
【００１４】  変形自在の柔らかく薄い低反発クッション素材及びクッションカバーで、断面がほぼ楕円の円筒形状に形成された小型枕の上から、汚れた場合の為に交換用の枕カバーを装着した形態が最良の実施形態である。
【実施例１】
【００１５】  以下、本発明の実施例１について図面を用いて説明する。図１は本実施例１の小型枕を示す外観図で、図２は断面図である。
１は枕体で、変形自在の柔らかく薄い素材により断面が楕円の筒状の孔２を形成し、さらに枕体１の外周を覆うように吸湿性とサラサラ感のある布製の枕カバー３で包み込む。また枕体１は筒状の孔２に手や腕を挿入して適度な硬さと厚みに調節し、小型ながら枕としての機能を満たすことができる。
枕体１は図２に示すように、クッション体１ａと、このクッション体１ａ全体を覆う吸湿性と柔らかさのある布製のクッションカバー１ｂによって形成され、クッション体１ａは顔面形状にフィットする柔らかい低反発クッション素材が最適であるが、特に低反発クッション素材に限定されるものではない。【００１６】  本実施例１に係る小型枕は、上記の如く構成されるものであり、図３に示すように、枕体１の筒状の孔２に、左右からそれぞれ左手と右手を挿入し顎や頬を枕カバー３の上にのせれば、肉厚が薄く柔らかい枕体１と枕カバー３を通して手の凹凸が顎や頬に伝わり、右手と左手の調節により枕カバー３と顎や頬との接触形状を自在に調節し、頭部を容易に安定できるために快適な睡眠に絶大な効果を発揮するものである。【００１７】  さらに、図４に示すように、筒状の孔２に片腕を肘まで挿入し額や頬を枕カバー３の上にのせれば、肉厚が薄く柔らかい枕体１と枕カバー３の形状は肘の屈曲に沿って変形し、肘の屈曲調節により枕カバー３と額や頬との接触形状を自在に調節し、うつ伏せ状態の睡眠時に枕が口や鼻に接しない為に呼吸の邪魔をせず、頭部が容易に安定して快適な睡眠に絶大な効果を発揮するものである。当然腕の挿入部位は肘以外でもよく、また腕の代わりに雑誌などを丸めて挿入し通常の枕のように使用することも可能である。
【実施例２】
【００１８】  続いて、本発明の実施例２を図面を用いて説明する。図５は本実施例２の小型枕の説明図及び外観図である。
本実施例２の小型枕は、規格品の板状クッションの素材を規定寸法に裁断した板状クッション体４ａを、板状クッションカバー４ｂの挿入部から差し入れて底部まで挿入し、挿入し終えた板状クッション体４ａと板状クッションカバー４ｂの底部を板状クッションカバー４ｂの挿入部に再度差し入れ、リング形状の枕体（Ａ）４が形成され、枕体（Ａ）４の外周を枕カバー（Ａ）６で包むように掛ければ筒状の孔（Ａ）５が形成され、本実施例１と同じ性能を持った枕が簡単に製作できる。【００１９】  このように、本実施例２に係る小型枕は、専用の金型や特別な製作工具を必要とせずに、ハサミとミシンのみで簡単に製作できるために設計開発費もほとんど掛けずに商品化が可能で、しかも本実施例１の性能を完全に満たすことができる画期的な枕である。
【産業上の利用可能性】
【００２０】  職場や学校や旅行の車中など外出中の昼寝や睡魔に襲われた時に、持ち運びが容易な小型枕として、また快適な安眠枕として利用できる。
【図面の簡単な説明】
【００２１】
【図１】  本発明の実施例１の小型枕を示す外観図である。
【図２】  同小型枕を示す断面図である。
【図３】  同小型枕の使用状態を示す説明図である。
【図４】  同小型枕の使用状態を示す説明図である。
【図５】  本発明の実施例２の小型枕を示す説明図及び外観図である。
【符号の説明】
【００２２】１    枕体
１ａ  クッション体
１ｂ  クッションカバー
２    筒状の孔
３    枕カバー
４    枕体（Ａ）
４ａ  板状クッション体
４ｂ  板状クッションカバー
５    筒状の孔（Ａ）
６    枕カバー（Ａ）
【図１】
2007037960.tif 000003
【図２】
2007037960.tif 000004
【図３】
2007037960.tif 000005
【図４】
2007037960.tif 000006
【図５】
2007037960.tif 000007